(57)【要約】      （修正有）【課題】改竄や個人情報漏洩を防止するように構成された二次元コードを利用した口コミ形式のアフィリエート・システムを提供する。【解決手段】所定の情報を含む二次元コードを生成する手段と、生成された二次元コードを送信する手段と、口コミマーケティングサイトの会員である登録者が保有し、送信された二次元コードを第１のメールアドレスで受信して転送することが可能なように構成された第１の携帯端末と、会員ではない第三者が保有し、第１の携帯端末から転送された二次元コードを第２のメールアドレスで受信する第２の携帯端末と、キャンペーンの対象である商品またはサービスを提供する店舗が保有し、第三者が来店して商品またはサービスを購入したときに、第２の携帯端末の画面に表示された二次元コードを読み取る二次元コード・リーダを有する第３の携帯端末と、二次元コードに含まれた情報を確認する情報確認手段とを備える。【選択図】図１
2007164332.tif 000002
【特許請求の範囲】
【請求項１】
改竄防止情報及び個人情報漏洩防止情報を暗号化された情報及び画像部分に反映されない隠し情報のいずれか一方またはそれらの組合せとして構成したことを特徴とする二次元コード。
【請求項２】
前記二次元コードは、ＱＲコードであることを特徴とする請求項１に記載の二次元コード。
【請求項３】
所定の情報を含む二次元コードを生成する手段と、
前記生成された二次元コードを送信する手段と、
口コミマーケティングサイトの会員である登録者が保有し、前記送信された二次元コードを第１のメールアドレスで受信して転送することが可能なように構成された第１の携帯端末と、
前記口コミマーケティングサイトの会員ではない第三者が保有し、前記第１の携帯端末から転送された前記二次元コードを第２のメールアドレスで受信する第２の携帯端末と、
キャンペーンの対象である商品またはサービスを提供する店舗が保有し、前記第三者が来店して該商品または該サービスを購入したときに、前記第２の携帯端末の画面に表示された前記二次元コードを読み取る二次元コード・リーダを有する第３の携帯端末と、
前記二次元コードに含まれた情報を確認する情報確認手段とを備え、
前記二次元コードを生成する手段は、前記所定の情報として、キャンペーン識別情報、店舗識別情報、登録者識別情報、応募者識別情報を有すると共に、改竄防止情報及び個人情報漏洩防止情報を暗号化された情報及び画像部分に反映されない隠し情報のいずれか一方またはそれらの組合せとして構成した二次元コードを生成し、
前記二次元コード・リーダは、前記二次元コードを構成している前記隠し情報を読み取ることにより前記改竄防止情報及び前記個人情報漏洩防止情報を解読し、
前記情報確認手段は、前記二次元コード・リーダにより解読された前記改竄防止情報により改竄がなされていないこと及び前記個人情報漏洩防止情報により個人情報が漏洩されていないことを確認し、
前記情報確認手段により前記確認が行なわれたならば、前記二次元コードを構成している前記キャンペーン識別情報、前記店舗識別情報、前記登録者識別情報、及び前記応募者識別情報に基づいて、所定のコミッションを前記登録者及び前記口コミマーケティングサイトの運営者に対してそれぞれ供給することを特徴とする二次元コードを利用した口コミ形式のアフィリエート・システム。
【請求項４】
前記第三者が前記商品または前記サービスを購入した後、前記口コミマーケティングサイトの会員になることを希望する場合には、該第三者を新規の会員として登録する登録手段を更に備えていることを特徴とする請求項３に記載の二次元コードを利用した口コミ形式のアフィリエート・システム。
【請求項５】
前記二次元コードは、ＱＲコードであることを特徴とする請求項３または請求項４に記載の二次元コードを利用した口コミ形式のアフィリエート・システム。
【請求項６】
所定の情報を含む二次元コードを生成する段階と、
前記生成された二次元コードを送信する段階と、
口コミマーケティングサイトの会員である登録者が保有する第１の携帯端末の第１のメールアドレスで前記送信された二次元コードを受信する段階と、
前記受信した二次元コードを転送する段階と、
前記口コミマーケティングサイトの会員ではない第三者が保有する第２の携帯端末の第２のメールアドレスで前記第１の携帯端末から転送された前記二次元コードを受信する段階と、
キャンペーンの対象である商品またはサービスを提供する店舗が保有する第３の携帯端末の二次元コード・リーダにより、前記第三者が来店して該商品または該サービスを購入したときに、前記第２の携帯端末の画面に表示された前記二次元コードを読み取る段階と、
前記二次元コードに含まれた情報を確認する段階とを具備し、
前記二次元コードを生成する段階は、前記所定の情報として、キャンペーン識別情報、店舗識別情報、登録者識別情報、応募者識別情報を有すると共に、改竄防止情報及び個人情報漏洩防止情報を暗号化された情報及び画像部分に反映されない隠し情報のいずれか一方またはそれらの組合せとして構成した二次元コードを生成し、
前記二次元コードを読み取る段階は、前記二次元コード・リーダにより、前記二次元コードを構成している前記隠し情報を読み取ることにより前記改竄防止情報及び前記個人情報漏洩防止情報を解読し、
前記情報を確認する段階は、前記二次元コード・リーダにより解読された前記改竄防止情報により改竄がなされていないこと及び前記個人情報漏洩防止情報により個人情報が漏洩されていないことを確認し、
前記情報を確認する段階で前記確認が行なわれたならば、前記二次元コードを構成している前記キャンペーン識別情報、前記店舗識別情報、前記登録者識別情報、及び前記応募者識別情報に基づいて、所定のコミッションを前記登録者及び前記口コミマーケティングサイトの運営者に対してそれぞれ供給することを特徴とする二次元コードを利用した口コミ形式のアフィリエート方法。
【請求項７】
前記第三者が前記商品または前記サービスを購入した後、前記口コミマーケティングサイトの会員になることを希望する場合には、該第三者を新規の会員として登録する段階を更に具備することを特徴とする請求項６記載の二次元コードを利用した口コミ形式のアフィリエート方法。
【請求項８】
前記二次元コードは、ＱＲコードであることを特徴とする請求項６または請求項７のいずれかに記載の二次元コードを利用した口コミ形式のアフィリエート方法。
【発明の詳細な説明】
【技術分野】
【０００１】
本発明は、コンピュータ・システムを用いたアフィリエート・システム及び方法に関し、特には二次元コードと、二次元コードを利用した口コミ形式のアフィリエート・システム及び方法とに関する。
【背景技術】
【０００２】
近年、インターネット等の通信網を介して商品やサービスを一度購入した顧客を会員登録し、該登録された会員が新たな購入希望者を紹介して、該紹介された購入希望者が商品やサービスを購入することにより、商品やサービスの提供者が該登録された会員に様々な形式のコミッションを供給するコンピュータ・システムを用いた口コミ形式のアフィリエート・システムが知られている。
【発明の開示】
【発明が解決しようとする課題】
【０００３】
しかしながら、従来のコンピュータ・システムを用いた口コミ形式のアフィリエート・システムでは、利用するＱＲコードを改竄して他人になりすますという、所謂「なりすまし」が発生する可能性があると共に、二次元コード、例えばＱＲコードから個人情報がスパイ・ウェア等により容易に第三者に漏洩してしまうという問題点があった。
【０００４】
本発明は、上記従来の口コミ形式のアフィリエート・システムにおける問題点に鑑みてなされたものであり、改竄や個人情報漏洩を防止するように構成された二次元コードを提供することをその課題とする。
また、本発明は、二次元コードを利用した口コミ形式のアフィリエート・システム及び方法を提供することをその課題とする。
【課題を解決するための手段】
【０００５】
本発明の上記課題は、改竄防止情報及び個人情報漏洩防止情報を暗号化された情報及び画像部分に反映されない隠し情報のいずれか一方またはそれらの組合せとして構成したことを特徴とする二次元コードによって達成される。
【０００６】
本発明の上記課題は、所定の情報を含む二次元コードを生成する手段と、前記生成された二次元コードを送信する手段と、口コミマーケティングサイトの会員である登録者が保有し、前記送信された二次元コードを第１のメールアドレスで受信して転送することが可能なように構成された第１の携帯端末と、前記口コミマーケティングサイトの会員ではない第三者が保有し、前記第１の携帯端末から転送された前記二次元コードを第２のメールアドレスで受信する第２の携帯端末と、キャンペーンの対象である商品またはサービスを提供する店舗が保有し、前記第三者が来店して該商品または該サービスを購入したときに、前記第２の携帯端末の画面に表示された前記二次元コードを読み取る二次元コード・リーダを有する第３の携帯端末と、前記二次元コードに含まれた情報を確認する情報確認手段とを備え、前記二次元コードを生成する手段は、前記所定の情報として、キャンペーン識別情報、店舗識別情報、登録者識別情報、応募者識別情報を有すると共に、改竄防止情報及び個人情報漏洩防止情報を暗号化された情報及び画像部分に反映されない隠し情報のいずれか一方またはそれらの組合せとして構成した二次元コードを生成し、前記二次元コード・リーダは、前記二次元コードを構成している前記隠し情報を読み取ることにより前記改竄防止情報及び前記個人情報漏洩防止情報を解読し、前記情報確認手段は、前記二次元コード・リーダにより解読された前記改竄防止情報により改竄がなされていないこと及び前記個人情報漏洩防止情報により個人情報が漏洩されていないことを確認し、前記情報確認手段により前記確認が行なわれたならば、前記二次元コードを構成している前記キャンペーン識別情報、前記店舗識別情報、前記登録者識別情報、及び前記応募者識別情報に基づいて、所定のコミッションを前記登録者及び前記口コミマーケティングサイトの運営者に対してそれぞれ供給することを特徴とする二次元コードを利用した口コミ形式のアフィリエート・システムによって達成される。
【０００７】
本発明の上記課題は、所定の情報を含む二次元コードを生成する段階と、前記生成された二次元コードを送信する段階と、口コミマーケティングサイトの会員である登録者が保有する第１の携帯端末の第１のメールアドレスで前記送信された二次元コードを受信する段階と、前記受信した二次元コードを転送する段階と、前記口コミマーケティングサイトの会員ではない第三者が保有する第２の携帯端末の第２のメールアドレスで前記第１の携帯端末から転送された前記二次元コードを受信する段階と、キャンペーンの対象である商品またはサービスを提供する店舗が保有する第３の携帯端末の二次元コード・リーダにより、前記第三者が来店して該商品または該サービスを購入したときに、前記第２の携帯端末の画面に表示された前記二次元コードを読み取る段階と、前記二次元コードに含まれた情報を確認する段階とを具備し、前記二次元コードを生成する段階は、前記所定の情報として、キャンペーン識別情報、店舗識別情報、登録者識別情報、応募者識別情報を有すると共に、改竄防止情報及び個人情報漏洩防止情報を暗号化された情報及び画像部分に反映されない隠し情報のいずれか一方またはそれらの組合せとして構成した二次元コードを生成し、前記二次元コードを読み取る段階は、前記二次元コード・リーダにより、前記二次元コードを構成している前記隠し情報を読み取ることにより前記改竄防止情報及び前記個人情報漏洩防止情報を解読し、前記情報を確認する段階は、前記二次元コード・リーダにより解読された前記改竄防止情報により改竄がなされていないこと及び前記個人情報漏洩防止情報により個人情報が漏洩されていないことを確認し、前記情報を確認する段階で前記確認が行なわれたならば、前記二次元コードを構成している前記キャンペーン識別情報、前記店舗識別情報、前記登録者識別情報、及び前記応募者識別情報に基づいて、所定のコミッションを前記登録者及び前記口コミマーケティングサイトの運営者に対してそれぞれ供給することを特徴とする二次元コードを利用した口コミ形式のアフィリエート方法によって達成される。
【発明の効果】
【０００８】
本発明の改良形ＱＲコードを利用した口コミ形式のアフィリエート・システム及び方法により、ＱＲコードの改竄及びＱＲコードからの個人情報の漏洩を防止することが可能になり、それによりキュンペーン識別情報、店舗識別情報、登録者識別情報、及び応募者識別情報に基づいて、所定のコミッションを登録者及び口コミマーケティングサイトの運営者に対してそれぞれ確実に供給することが可能になるという効果を奏する。
【発明を実施するための最良の形態】
【０００９】
本発明の二次元コードは、ＱＲコードであってもよい。
【００１０】
本発明の二次元コードを利用した口コミ形式のアフィリエート・システムは、前記第三者が前記商品または前記サービスを購入した後、前記口コミマーケティングサイトの会員になることを希望する場合には、該第三者を新規の会員として登録する登録手段を更に備えて構成してもよい。
【００１１】
本発明の二次元コードを利用した口コミ形式のアフィリエート・システムでは、前記二次元コードは、ＱＲコードであってもよい。
【００１２】
本発明の二次元コードを利用した口コミ形式のアフィリエート方法は、前記第三者が前記商品または前記サービスを購入した後、前記口コミマーケティングサイトの会員になることを希望する場合には、該第三者を新規の会員として登録する段階を更に具備してもよい。
【００１３】
本発明の二次元コードを利用した口コミ形式のアフィリエート方法では、前記二次元コードは、ＱＲコードであってもよい。
【実施例】
【００１４】
以下、添付した図面を参照して、本発明によるコンピュータ・システムを用いたアフィリエート・システム及び方法の実施例を詳細に説明する。
図１は、本発明によるコンピュータ・システムを用いたアフィリエート・システムの構成の一例を示すシステム概略図である。
【００１５】
図１のアフィリエート・システム１０は、その主要部である口コミマーケティングサイト１１と、会員に登録されている登録者が保有する携帯端末Ｔ１、未会員・未登録である第三者が保有する携帯端末Ｔ２、及び登録された店舗が保有する携帯端末Ｔ３によって構成された複数の携帯端末Ｔ１〜Ｔ３と、アフィリエート・システム１０を管理/運営する管理/運営ステーションＭＯＳとによって構成されている。
【００１６】
図１に示すように、口コミマーケティングサイト１１は、メール・サーバ１２と、データベース・サーバ１３と、ウェブ・サーバ１４と、管理システム用ウェブ・サーバ１５とによって構成されている。
メール・サーバ１２は、ＣＰＵ１２−１と、メモリ１２−２と、記憶装置１２−３とを備え、データベース・サーバ１３は、ＣＰＵ１３−１と、メモリ１３−２と、記憶装置１３−３と、データベース１３−４とを備え、ウェブ・サーバ１４は、ＣＰＵ１４−１と、メモリ１４−２と、記憶装置１４−３とを備え、管理システム用ウェブ・サーバ１５は、ＣＰＵ１５−１と、メモリ１５−２と、記憶装置１５−３とを備えている。
管理/運営ステーションＭＯＳには、管理/運営者が使用するコンピュータ・システム１６が設置されており、コンピュータ・システム１６は、ＣＰＵ１６−１と、メモリ１６−２と、記憶装置１６−３と、入力装置１６−４と、表示装置１６−５とを備えている。
【００１７】
次に、図２のフロー図を参照して、図１のアフィリエート・システム１０の動作を説明する。なお、以下において、本発明による二次元コードとして、改良形のＱＲコードを一例として説明する。
（１）キャンペーン開始設定処理
図２に示すように、図１のアフィリエート・システム１０を管理/運営する管理/運営ステーションＭＯＳは、キャンペーン情報、店舗情報、及び登録者情報をアフィリエート・システム１０に登録するために、オペレータがアフィリエート・システム１０を起動する（ステップＳ１）。アフィリエート・システム１０が起動されたならば、オペレータは、入力装置１６−４からキャンペーン情報、店舗情報（ＱＲ読み取り端末情報を含む）、及び登録者情報を入力する（ステップＳ２）。アフィリエート・システム１０は、入力装置１６−５から入力されたキャンペーン情報、店舗情報（ＱＲ読み取り端末情報を含む）及び登録者情報をウェブ・サーバ１４のＣＰＵ１４−１によりデータベース・サーバ１３のデータベース１３−４にそれぞれ記憶/登録する（ステップＳ３）。
次いで、メール・サーバ１２のＣＰＵ１２−１によりキャンペーン及び登録者毎の空メール受信用メールアドレスを作成してメール・サーバ１２の記憶装置１２−２に記憶/登録する（ステップＳ４）。
ここで、空メール受信用メールアドレスとは、キャンペーン識別情報、店舗識別情報、及び登録者識別情報を組み込んだメールアドレスであり、例えば、a001b001c001@kuchikomi-kun.comのような形式である。
【００１８】
（２）キャンペーン告知配信処理
次いで、オペレータは、入力装置１６−４から配信用メールアドレス、メール本文、等を入力する（ステップＳ５）。
アフィリエート・システム１０は、入力装置１６−５から入力された配信用メールアドレス、メール本文、等を、インターネット回線を介して、ウェブ・サーバ１４のＣＰＵ１４−１によりメール・サーバ１２の記憶装置１２−３に記憶/登録する（ステップＳ６）。
次いで、オペレータは、メール・サーバ１２のＣＰＵ１２−１により、記憶装置１２−３に登録されたメール本文を個人化したキャンペーン告知メールを作成して（ステップＳ７）、登録会員の端末Ｔ１に送信する（ステップＳ８）。
【００１９】
（３）キャンペーン告知受信処理
メール・サーバ１２から送信されたキャンペーン告知メールを登録会員が端末Ｔ１で受信する（ステップＳ９）。
【００２０】
（４）キャンペーン告知転送処理
端末Ｔ１でキャンペーン告知メールを受信した登録会員は、自身の端末Ｔ１から、インターネット回線または閉域網を介して、第三者の端末Ｔ２にキャンペーン告知メールを転送する（ステップＳ１０）。
【００２１】
（５）キャンペーン告知転送受信処理
登録会員の端末Ｔ１から送信されたキャンペーン告知メールを、インターネット回線または閉域網を介して、第三者が端末Ｔ２で受信する（ステップＳ１１）。
【００２２】
（６）空メール送信処理
キャンペーン告知メールを受信した第三者は、インターネット回線を介して、キャンペーン告知メールで指定された空メール受信用メールアドレスに対して、端末Ｔ２から空メールを送信する（ステップＳ１２）。
【００２３】
（７）ＱＲメール処理
（Ａ）空メール受信：
（Ａ１）メール・サーバ１２のＣＰＵ１２−１により、第三者の端末Ｔ２から指定された空メール受信用メールアドレスに送信された空メールの受信を検知する（ステップＳ１３）。
（Ａ２）メール・サーバ１２は、空メールの宛先メールアドレス（空メール受信用メールアドレス）及び送信者メールアドレス（第三者のメールアドレス）をメモリ１２−２にセットし（ステップＳ１４）、ＱＲメール処理プログラムに受け渡してＱＲメール処理プログラムを起動する（ステップＳ１５）。
ここで、ＱＲメール処理プログラムが起動されると、空メールの宛先により、キャンペーン識別情報、店舗識別情報、及び登録者識別情報を特定することになる。
【００２４】
（Ｂ）エラー判定：
メール・サーバ１２のＣＰＵ１２−１によりＱＲメール処理プログラムを実行して、期間チェック、来店済みチェック、本人応募チェックを行い（ステップＳ１６）、いずれかのチェックでエラーが検出された場合には、エラーメールを空メールの送信者に送信し（ステップＳ１７）、他方、エラーが検出されなかった場合には、データベース・サーバ１３のデータベース１３−４に履歴を登録する（ステップＳ１８）。
【００２５】
（Ｃ）ＱＲコード生成
メール・サーバ１２のＣＰＵ１２−１によりＱＲメール処理プログラムを実行して、キャンペーン識別情報、店舗識別情報、登録者識別情報、応募者識別情報、改竄防止情報及び個人情報漏洩防止情報を生成し（ステップＳ１９）、かつ改竄防止情報及び個人情報漏洩防止情報を暗号化して（ステップＳ２０）、キャンペーン識別情報、店舗識別情報、登録者識別情報、応募者識別情報、改竄防止情報及び個人情報漏洩防止情報を組み込んだＵＲＬのＱＲコード画像を作成してメモリ１２−２にセット（記憶/登録）する（ステップＳ２１）。また、改竄防止用情報をデータベース・サーバ１３のデータベース１３−４にも記憶/登録する（ステップＳ２２）。
【００２６】
図３は、本発明による改良形ＱＲコードを説明するための図である。図３に示すＱＲコードは、一般のＱＲコードと同じようなパターンを有している。しかし、本発明による改良形ＱＲコードは、一般に用いられているＱＲコードとは異なり、改竄防止及び個人情報漏洩防止の処理を施したＱＲコードである。それらの防止処理は、改竄防止情報及び個人情報漏洩防止情報に基づいて実施される。改竄防止情報及び個人情報漏洩防止情報としては、例えばＱＲ画像パターンの一部または全部を隠して符号化したものであってもよいし、ＱＲ画像に反映されない情報、例えば、ＱＲ画像に反映されないデジタル情報を含むものであってもよい。
例えば、改良形ＱＲコードは、
http://www.kuchikomi-kun.com/qr?s=a001b001c001d001&c=fei52jfs93ksf8js04fd0mw59sj48fk
のように構成されている。この改良形のＱＲコードの例では、http://www.kuchikomi-kun.com/qr?s=a001b001c001d001の後に記載されている&c=fei52jfs93ksf8js04fd0mw59sj48fkが改竄防止情報及び個人情報漏洩防止情報に対応している。
なお、改良形ＱＲコードは、この例に限定されるものではなく、アルファベット、記号、または数字で構成してもよいし、それらの様々な組み合せで構成してもよい。
【００２７】
（Ｄ）ＱＲメール送信
メール・サーバ１２のＣＰＵ１２−１により、ＱＲメール処理プログラムは、メモリ１２−２にセットされたＱＲコード画像をメールに添付して（ステップＳ２３）、空メール送信者に送信する（ステップＳ２４）。
【００２８】
（８）ＱＲメール受信処理
第三者は、メール・サーバ１２が送信したＱＲメールを、インターネット回線を介して、端末Ｔ２で受信する（ステップＳ２５）。
【００２９】
（９）ＱＲコード読み取り処理
第三者がキャンペーン情報に対応するキャンペーンが実施されている店舗に赴いて、キャンペーンの対象となっている商品またはサービスを購入した場合には、店舗の係り（例えば、店員やレジ係り、等）により店舗が所有する携帯端末（ＱＲ読み取り端末）Ｔ３で、第三者の端末Ｔ２の画像に表示されているＱＲコード画像を読み取る（ステップＳ２６）。
【００３０】
（１０）ＱＲコード照合サイト
店舗の係りは、携帯端末（ＱＲ読み取り端末）Ｔ３で読み取ったＱＲコードで指定されたＵＲＬにアクセスする（ステップＳ２７）。
ここで、上記ステップＳ２７のアクセス処理は、携帯端末（ＱＲ読み取り端末）Ｔ３でＱＲコードを読み取ることにより、携帯端末（ＱＲ読み取り端末）Ｔ３が自動的に実行するように構成してもよいし、または店舗の係りが手動で操作することにより実行するように構成してもよい。
【００３１】
（１１）ＱＲコード照合処理
（Ａ）アクセス認証
ウェブ・サーバ１４のＣＰＵ１４−１により、携帯端末（ＱＲ読み取り端末）Ｔ３の識別情報による認証、またはユーザ名及びパスワードによる認証を行なう（ステップＳ２８）。
即ち、店舗の携帯端末（ＱＲ読み取り端末）Ｔ３とその使用者（即ち、店舗）の認証を行なうことにより、なりすましを防止する。
また、携帯端末（ＱＲ読み取り端末）Ｔ３に何らかの障害（例えば，通信障害、等）が発生している場合には、別の端末からアクセス可能なように構成してもよい。
この場合には、セキュリティは、ユーザ名及びパスワードによって認証されるように構成してもよい。
【００３２】
（Ｂ）ＱＲコード照合
まず、ウェブ・サーバ１４のＣＰＵ１４−１により、ＱＲコード（ＱＲコードのＵＲＬ）に組み込まれた改竄防止情報により改竄の有無をチェックする（ステップＳ２９）。
チェックにより改竄が行なわれていないと判断された場合には、ウェブ・サーバ１４のＣＰＵ１４−１により、ＱＲコード（ＱＲコードのＵＲＬ）に組み込まれたキャンペーン識別情報、店舗識別情報、登録者識別情報、応募者識別情報に基づき、データベース・サーバ１３のデータベース１３−４に記憶/登録されている対応するキャンペーン識別情報、店舗識別情報、登録者識別情報、応募者識別情報と照合し（ステップＳ３０）、照合結果履歴をデータベース１３−４へ記憶/登録する（ステップＳ３１）。
【００３３】
（Ｃ）Ｔｈａｎｋｓ  Ｍａｉｌ送信
ウェブ・サーバ１４のＣＰＵ１４−１により、登録者のメールアドレス（即ち、携帯端末Ｔ１のメールアドレス）に対してＴｈａｎｋｓ  Ｍａｉｌを送信する（ステップＳ３２）。
【００３４】
（Ｄ）照合確認メール送信
ウェブ・サーバ１４のＣＰＵ１４−１により、店舗の携帯端末（ＱＲ読み取り端末）Ｔ３のメールアドレスに対して照合確認メールを送信する（ステップＳ３３）。
【００３５】
（１２）Ｔｈａｎｋｓ  Ｍａｉｌ受信処理
登録者は、携帯端末Ｔ１でウェブ・サーバ１４から送信されたＴｈａｎｋｓ  Ｍａｉｌを受信する（ステップＳ３４）。
【００３６】
（１３）照合確認メール受信処理
店舗は、携帯端末（ＱＲ読み取り端末）Ｔ３でウェブ・サーバ１４から送信された照合確認メールを受信する（ステップＳ３５）。
【００３７】
（１４）会員登録依頼処理
メール・サーバ１２のＣＰＵ１２−１により、データベース・サーバ１３のデータベース１３−４に記憶/登録されたＱＲメールを送信したメールアドレス（即ち、第三者の携帯端末Ｔ２のメールアドレス）に、会員登録依頼のメールを送信する（ステップＳ３６）。
【００３８】
（１５）会員登録依頼受信処理
第三者は、携帯端末Ｔ２でメール・サーバ１２から送信された会員登録依頼のメールを受信する（ステップＳ３７）。
【００３９】
（１６）会員登録サイト
携帯端末Ｔ２で会員登録依頼のメールを受信したならば、第三者は、会員登録サイトである口コミマーケティングサイト１１へアクセスする（ステップＳ３８）。
【００４０】
（１７）会員登録処理
ウェブ・サーバ１４のＣＰＵ１４−１により、第三者の携帯端末Ｔ２から入力された会員登録情報をデータベース・サーバ１３のデータベース１３−４に記憶/登録して（ステップＳ３９）、第三者を新たな会員として登録する（ステップＳ４０）。
【００４１】
本実施例ではＱＲコード画像について説明したが、本発明は、読み取る対象として、ＱＲコード画像に限定されるものではなく、ＲＦＩＤ、一次元バーコードであってもよい。
【００４２】
上述したように、本発明により以下の開発を実施することが可能になった：
１．ＱＲコード・リーダ用ソフトウェアの新規開発
異なる携帯電話会社すべてに対応した大容量・高速ＱＲコード読み取り用ソフトウェアを開発し、携帯電話端末にインストールして使用する。このソフトウェアの開発により、店舗での多数の顧客来店の際の紹介者、来店者及び店舗名を同時に判別することが可能になった。またＱＲコードによるデータは、リーダとして使用する携帯電話端末に最大３００件蓄積が可能である。
【００４３】
２．ＱＲコード改竄防止、個人情報の漏洩防止システムの新規開発
ＱＲコードは、ＵＲＬに続く数字とアルファベットで構成されており、この部分を改竄することにより、他人になりすまして特典を入手する可能性があり、また、配信元等になりすまして、空メールを会員及び新規会員に携帯電話から打たせることで、会員個人情報を不正に入手される可能性があったが、上述した本発明による改良形のＱＲコードを利用した口コミ形式のアフィリエート・システムによれば、ＱＲコードと暗号化コードを生成する新開発ソフトウェアを使用してＱＲコードの画像部分には反映されない隠し情報を有するＱＲコードを作成して配信する。このように生成された暗号付きＱＲコードは、キャンペーン識別情報、店舗識別情報、登録者識別情報、及び応募者識別情報を伴って新規会員候補者に配信され、会員受付をする店舗では暗号付きＱＲコード生成ソフトの関数性を利用し、逆プロセスで読み取りを行う特殊ＱＲコード・リーダにより読み取りを行う。
【００４４】
また、読み取られた情報は、配信元のサーバに転送され、紹介者、店舗、新規会員情報などをＱＲコードに内包された隠し暗号情報を再度認証することにより、ＱＲコードの改竄を防ぎ、個人情報の漏洩を防止することが可能になる。
【図面の簡単な説明】
【００４５】
【図１】本発明によるアフィリエート・システムの実施例における一構成例を示す概略構成図である。
【図２】図１に示す本発明によるアフィリエート・システムの動作を説明するためのフロー図である。
【図３】本発明による改良形ＱＲコードの一例を説明するための説明図である。
【符号の説明】
【００４６】
１０  アフィリエート・システム
１１  口コミマーケティングサイト
１２  メール・サーバ
１２−１  ＣＰＵ
１２−２  メモリ
１２−３  記憶装置
１３  データベース・サーバ
１３−１  ＣＰＵ
１３−２  メモリ
１３−３  記憶装置
１３−４  データベース
１４  ウェブ・サーバ
１４−１  ＣＰＵ
１４−２  メモリ
１４−３  記憶装置１４−３
１５  管理システム用ウェブ・サーバ
１５−１  ＣＰＵ
１５−２  メモリ
１５−３  記憶装置
Ｔ１〜Ｔ３  携帯端末
ＭＯＳ  管理/運営ステーション
【図１】
2007164332.tif 000003
【図２】
2007164332.tif 000004
【図３】
2007164332.tif 000005